(57)【要約】【課題】  基板に実装された電子部品の情報を基板の一方向から迅速かつ確実に認識することができる電子部品の表面に貼着されるラベル及び当該電子部品を備えた遊技機を提供すること。【解決手段】  基板に実装可能な電子部品に関する情報が記載され、当該電子部品の表面に貼着されるラベル３０が、前記電子部品の仕様別に色分け表示されている。これにより、作業者は文字情報の向きを気にせずにラベルを該当する電子部品に貼着し、当該電子部品を基板上に実装しても、ラベルに記載された文字情報を読まずにラベルの色を識別するのみで電子部品の実装確認作業を完了することができるので、作業効率を大幅に向上させることができる。【選択図】  図１
2005087623.tif 000002
【特許請求の範囲】
【請求項１】
基板に実装可能な電子部品に関する情報が記載され、当該電子部品の表面に貼着されるラベルであって、
前記電子部品の仕様別に色分け表示されていることを特徴とするラベル。
【請求項２】
前記電子部品の仕様として当該電子部品の用途、機能のうち少なくとも１つを含んだ情報が、分割された各領域に色分け表示されていることを特徴とする請求項１に記載のラベル。
【請求項３】
前記電子部品の表面に貼着するときの貼着方向を規定する印が、前記電子部品に予め形成されている実装方向を判別する判別部に合わせて形成されていることを特徴とする請求項１または２に記載のラベル。
【請求項４】
前記印を前記判別部と合わせて前記電子部品の表面に貼着した後に当該電子部品を前記基板に実装したときの色分け表示が、当該基板を一方向から見たときに同一に配列されていることを特徴とする請求項３に記載のラベル。
【請求項５】
前記電子部品の表面に貼着した後に剥離した場合に痕跡が残ることを特徴とする請求項１〜４の何れか一項に記載のラベル。
【請求項６】
前記電子部品は、所定のデータを記憶する記憶手段であることを特徴とする請求項１〜５の何れか一項に記載のラベル。
【請求項７】
請求項１〜６の何れか一項に記載のラベルが貼着された電子部品を備えたことを特徴とする遊技機。
【発明の詳細な説明】
【技術分野】
【０００１】
本発明は、基板に実装可能な電子部品に関する情報が記載され、当該電子部品の表面に貼着されるラベル及び当該電子部品を備えた遊技機に関する。
【背景技術】
【０００２】
近年の例えば弾球遊技機及びスロットマシンは、ＣＰＵやＲＯＭ等の電子部品が実装された基板を備えており、ＣＰＵが、ＲＯＭに記憶されている特別遊技に関するプログラムや画像表示に関するプログラム等を実行することにより、例えば大当たり等を制御するようになっている。上記ＲＯＭは、１枚の基板上に複数個、例えば６個実装されているが、外観上は同一であり区別することが困難であるため、各ＲＯＭには、その製品番号や種別等の文字情報が記載されたラベルが貼着されている。
【０００３】
【特許文献１】特開２０００−２９３９１号公報
【発明の開示】
【発明が解決しようとする課題】
【０００４】
上述した従来のラベルに記載されている文字情報は一般的に白地のバックに黒色インクで印刷されているが、ラベルはＲＯＭ表面の限られた面積に貼り付ける必要があるため、情報量の多い文字情報を印刷するときのフォントサイズは勢い小さなものとなっていた。また、従来のラベルはＲＯＭに対して貼り付ける方向が特に定まっていなかったため、ラベルが貼着された状態の複数のＲＯＭを基板上に実装した後は、各ラベルに記載された文字情報の向きがばらばらになる可能性が高かった。このため、作業者が各ラベルに記載された全ての文字情報を基板の一方向から迅速かつ確実に読み取ることは非常に困難であり、ＲＯＭの実装確認作業に手間が掛かっていた。
【０００５】
本発明は、上記のような種々の課題に鑑みなされたものであり、その目的は、基板に実装された電子部品の情報を基板の一方向から迅速かつ確実に認識することができる電子部品の表面に貼着されるラベル及び当該電子部品を備えた遊技機を提供することにある。
【課題を解決するための手段】
【０００６】
上記目的達成のため、本発明に係るラベルでは、基板に実装可能な電子部品に関する情報が記載され、当該電子部品の表面に貼着されるラベルであって、前記電子部品の仕様別に色分け表示されていることを特徴としている。これにより、作業者はラベルを該当する電子部品に貼着し、当該電子部品を基板上に実装しても、ラベルに記載された文字情報を読まずにラベルの色を識別するのみで電子部品の実装確認作業を完了することができるので、作業効率を大幅に向上させることができる。
【０００７】
また、前記電子部品の仕様として当該電子部品の用途、機能のうち少なくとも１つを含んだ情報が、分割された各領域に色分け表示されていることを特徴としている。これにより、作業者は電子部品の詳細情報を容易に視認することができるので、更に踏み込んだ電子部品の実装確認作業を行うことができる。また、前記電子部品の表面に貼着するときの貼着方向を規定する印が、前記電子部品に予め形成されている実装方向を判別する判別部に合わせて形成されていることを特徴としている。これにより、ラベルの文字情報やラベルの色分け表示の方向を印に合わせて印刷することで、複数の電子部品を基板上に実装した後の各ラベルの文字情報や色分け表示を同一方向に配列することができる。
【０００８】
また、前記印を前記判別部と合わせて前記電子部品の表面に貼着した後に当該電子部品を前記基板に実装したときの色分け表示が、当該基板を一方向から見たときに同一に配列されていることを特徴としている。これにより、作業者は電子部品の情報を更に容易に視認することができるので、作業効率を更に大幅に向上させることができる。また、前記電子部品の表面に貼着した後に剥離した場合に痕跡が残ることを特徴としている。これにより、例えば正当な電子部品が不正な電子部品に交換された場合、不正な電子部品に再使用されたラベルに残った痕跡から不正行為が行われたことを見破ることができる。
【０００９】
また、前記電子部品は、所定のデータを記憶する記憶手段であることを特徴としている。これにより、特に規定に違反したデータが記憶された記憶手段の交換等による不正行為を防止することができる。上記各ラベルが貼着された電子部品を備えた遊技機であることを特徴としている。これにより、上記各作用効果を奏する遊技機を提供することができる。
【発明の効果】
【００１０】
本発明によれば、作業者はラベルに記載された文字情報を読まずにラベルの色を識別するのみで電子部品の実装確認作業を完了することができるので、作業者は文字情報の向きを気にせずにラベルを該当する電子部品に貼着して当該電子部品を基板上に実装することができ、作業効率を大幅に向上させることができる。
【発明を実施するための最良の形態】
【００１１】
図１（Ａ）及び（Ｂ）は、本発明の実施形態に係るラベルを示す平面図及び側面図である。このラベル３０は、例えば透明のプラスチックで矩形状に形成されたフィルム３１を備えている。そして、作業者が、フィルム３１の一面（以下、表面という）側から透過して見たときに、当該ラベル３０が貼着される電子部品の情報が認識可能なように、フィルム３１の他面（以下、裏面という）側には、上記情報が印刷されたインク層３２が形成されている。
【００１２】
そして、インク層３２が形成された裏面には、さらに電子部品の表面に貼着するための接着層３３が形成されて剥離容易な台紙３４が添着されている。作業者は、フィルム３１を摘んで台紙３４から剥がすことにより、インク層３２及び接着層３３を含むフィルム３１と台紙３４とを分離することができるので、台紙３４が取り除かれたラベル３０を電子部品の表面に容易に貼着することができる。
【００１３】
上記情報として例えば当該ラベル３０が貼着される電子部品を使用する製品名“ＣＲ○○○”と当該ラベル３０が貼着された電子部品の用途名、例えば“サブ制御１用”を表す文字が、フィルム３１の裏面に上下二段で印刷されている。さらに、上記情報として当該ラベル３０が貼着される電子部品の仕様、例えば用途と機能を表す予め定められた色が、フィルム３１の裏面の上下の２つの領域（図示点描写部分と図示クロス線部分）に色分け表示印刷されている。
【００１４】
電子部品の用途としては当該電子部品が実装された基板を製品に搭載する用途があり、この製品がシリーズ化した場合にシリーズ別に所定の色が定められ、フィルム３１の裏面の上領域に着色印刷される。また、電子部品の機能としては当該電子部品の種類があり、この種別に所定の色が定められ、フィルム３１の裏面の下領域に着色印刷される。このように、ラベル３０が電子部品の仕様別に色分け表示されているので、作業者は文字情報の向きを気にせずにラベル３０を該当する電子部品の表面に貼着し、当該電子部品を基板上に実装しても、ラベル３０に記載された文字情報を読まずにラベル３０の色を識別するのみで電子部品の実装確認作業を完了することができるので、作業効率を大幅に向上させることができる。
【００１５】
また、作業者がラベル３０が貼着された複数の電子部品を基板に実装したときに、各ラベル３０に印刷されている情報が基板の一方向から見たときに同一方向に配列されるように、ラベル３０には電子部品における貼着方向を規定するための印３５、例えば三角状の切欠きが形成されている。一般的に、電子部品の一縁部には基板における実装方向を判別するための判別部、例えば半円状の凹部が予め形成されているが、電子部品の判別部に対してラベル３０の印３５を向けて当該電子部品の表面に当該ラベル３０を貼着し、当該電子部品を基板に複数実装したときに、上記各情報が基板の一方向から見たときに同一方向に配列されるように印刷されている。
【００１６】
この印３５の形成位置は、図２の（Ａ）、（Ｂ）、（Ｃ）に示すように、貼着される電子部品の判別部の形成位置に対応して矩形状のラベル３０の各縁部となる。このような印３５をラベル３０に形成することにより、作業者は情報の向きを気にせずに印３５と判別部とを合わせるのみでラベル３０を電子部品の表面に貼着することができるので、作業効率を向上させることができる。
【００１７】
図３は、上記ラベル３０を貼着した電子部品が実装された基板を示す平面図である。この基板４０には、電子部品としてＲＯＭ４１が６個実装されている。各ＲＯＭ４１には判別部４２が実装方向に合わせて形成されているが、各ラベル３０は印３５が各判別部４２と合うようにしてＲＯＭ４１の表面に貼着されている。このように各ラベル３０を印３５と各判別部４２とが合うようにしてＲＯＭ４１の表面に貼着することにより、図示矢印で示す基板４０の一方向から見たときに、各ラベル３０に印刷されたＲＯＭ４１を使用する製品名“ＣＲ○○○”とＲＯＭ４１に記憶されているプログラムの用途名、例えば“サブ制御１用”、“図柄データ１用”、“図柄データ２用”、“図柄データ３用”、“音声データ用”を表す文字及びＲＯＭ４１を使用する製品のシリーズ別の色（図示点描写部分）とＲＯＭ４１の種別の色（図示クロス線部分、斜線部分、横線部分、縦線部分）を同一方向に配列させることができる。したがって、作業者はラベル３０の同一位置に印刷されている色を識別し、必要であれば同一方向に印刷されている文字情報を読むことによりＲＯＭ４１の実装確認作業を完了することができるので、作業効率を大幅に向上させることができる。
【００１８】
また、ラベル３０はフィルム３１とインク層３２と接着層３３がこの順で積層された構成となっているので、ラベル３０を電子部品の表面に貼着した後、無理に引き剥がそうとした場合、例えフィルム３１は完全な形で剥がせても、インク層３２と接着層３３はフィルム３１側や電子部品側に常に一部が残存してしまうような不完全な形となる。したがって、このようなラベル３０を再利用したときは、貼着した後に剥離したものである痕跡が残ることになるので、正当な電子部品を不当な電子部品に交換するような不正行為が実行されたか否かを即座に判断することができる。
【００１９】
なお、上述した実施形態では、仕様として用途と機能を色分け表示するためにフィルム３１の裏面を２領域に分割して印刷する構成としたが、仕様としては用途、機能のうち少なくとも１つを含むものであれば良く、仕様として１つのときはフィルム３１の裏面全面もしくは一部に印刷する構成とし、仕様として３つ以上あるときはフィルム３１の裏面をその個数の領域に分割して印刷する構成として良い。
【００２０】
また、フィルム３１の裏面側に上記情報が印刷されたインク層３２を形成するようにしたが、フィルム３１の表面側に上記情報が印刷されたインク層３２を形成するようにしても良い。また、印３５として三角状の切欠きを形成するようにしたが、形状は特に限定されるものではなく、例えば半円形状等でも良く、また、切欠きに特に限定されるものではなく、例えば印刷等でも良い。
【００２１】
図４は、上記ラベル３０が貼着された電子部品を備えた遊技機の遊技機盤面の外観を示す正面図である。この弾球遊技機１の遊技機盤面１０の略中央には、図柄を変動表示及び停止表示等する図柄表示装置１１が配設されている。この図柄表示装置１１は、主に液晶ディスプレイが使用されるが、画面上に画像を表示可能であれば例えばＣＲＴ、ドットマトリックス等の表示装置でも良い。
【００２２】
図柄表示装置１１の下方には、遊技球が入賞可能な始動入賞口１２が配設されている。始動入賞口１２は、遊技球の入賞を契機として図柄表示装置１１における特別図柄の変動表示の開始に係る機能を有している。この始動入賞口１２の上部の開口部には、開口幅を拡大する拡大装置１３が配設されている。この拡大装置１３は、通常は遊技球が１個通過可能であるが２個同時通過不可能な幅を保つことにより、始動入賞口１２への遊技球の入賞を困難なものとしているが、拡大時は広い範囲で遊技球を拾うことにより、始動入賞口１２への遊技球の入賞を容易なものとする機能を有している。
【００２３】
始動入賞口１２の下方には、アタッカーユニット１４が配設されている。このアタッカーユニット１４の正面略中央には、特別遊技である大当たり遊技の際に開放する大入賞口１５が設けられている。大当たり遊技とは、図柄表示装置１１に停止表示される特別図柄が例えば同一であるときの大当たり図柄の場合に遊技者に特別の利益が提供されるような遊技をいう。例えば通常は閉鎖している大入賞口１５が３０秒という所定時間の経過または１０球という所定個数の遊技球の入賞の何れかが起こるまで開放することを、１５回という所定回数繰り返すような遊技をいう。
【００２４】
始動入賞口１２の左右両端には、入賞口１６が配設されている。遊技機盤面１０の下端には、始動入賞口１２、大入賞口１５、入賞口１６の何れにも入賞しなかった遊技球が排出されるアウト口１８が配設されている。さらに、遊技機盤面１０には、図示しない釘が配設されている。そして、遊技機盤面１０の前面は、図示しないガラス板で覆われている。さらに、遊技機盤面１０の下方には、遊技球を遊技機盤面１０の下端から上端へ打ち出すための弾球ハンドル１７や、始動入賞口１２、大入賞口１５、入賞口１６に遊技球が入賞したときに複数個の遊技球が払い出される賞球払出口１９及びそれらの遊技球を受ける球受け皿２０が配設されている。
【００２５】
以上のような構成の弾球遊技機１の遊技の概要を図４を参照して説明する。遊技者が弾球ハンドル１７を操作すると、遊技球が発射されガイドレール２に案内されて遊技機盤面１０の上方に放出される。遊技球は、釘等に接触して落下方向が変化しながら、一部は入賞口１６あるいは始動入賞口１２に入り、入賞口１６あるいは始動入賞口１２に入らなかった遊技球は、アウト口１８に入る。遊技球が入賞口１６に入賞すると、賞球払出口から例えば５球の賞球が遊技者に払い出される。
【００２６】
また、遊技球が始動入賞口１２に入賞すると、図示しない始動入賞検出器からの検出信号を契機に賞球払出口から例えば５球の賞球が遊技者に払い出され、図柄表示装置１１において特別図柄が変動を開始して、所定の特別図柄で変動が停止する。このとき停止表示される特別図柄が大当たり図柄であるときは、大当たり遊技が発生して普段は閉鎖している大入賞口１５が開放する。そして、遊技球が大入賞口１５に入賞すると、賞球払出口から例えば１５球の賞球が遊技者に払い出される。
【００２７】
この大入賞口１５は、例えば開放してから３０秒経過するか、１０球の入賞があるかの何れかにより一旦閉鎖する。そして、この大入賞口１５が開放している間に、この大入賞口１５の内部に設けられているＶゾーンへの入賞があると、大入賞口１５は一旦閉鎖した後、再度開放するようになっている。このような大入賞口１５の開放及び閉鎖の繰り返し、すなわちラウンドは、例えば最大１５回連続するようになっている。一方、大入賞口１５が１５回開閉を繰り返すか、大入賞口１５の開放中にＶゾーンへの入賞が無かった場合には、この大当たり遊技は終了する。
【００２８】
図５は、上記弾球遊技機１の背面から見た内部構造を示す正面図である。この弾球遊技機１の内部には、弾球ハンドル１７の機構部２１や遊技球を払出すための機構部２２等が配設されているとともに、主制御装置２３や副制御装置２４、払出し制御装置２５等が配設されている。主制御装置２３は、始動入賞口１２への入賞を判定したり大入賞口１５を駆動制御するプログラム等が記憶されたＲＯＭやこれらのプログラムを実行するＣＰＵ等が実装されたメイン基板を備えている。副制御装置２４は、図柄表示装置１１に表示する画像を制御するプログラム等が記憶されたＲＯＭやこれらのプログラムを実行するＣＰＵ等が実装されたサブ基板を備えている。払出し制御装置２５は、始動入賞口１２や大入賞口１５への入賞による賞球の払出しを制御するプログラム等が記憶されたＲＯＭやこれらのプログラムを実行するＣＰＵ等が実装された払出し基板を備えている。
【００２９】
図６は、上記主制御装置２３の分解斜視図である。この主制御装置２３は、メイン基板２６と、このメイン基板２６を両側から覆って封印する一対の基板ケース２７ａ、２７ｂを備えている。メイン基板２６は、ＲＯＭ４１やマイクロプロセッサ２８等の電子部品が実装され、一方の基板ケース２７ａにネジ止めされる。このＲＯＭ４１の表面には、拡大図に示すように、上述したラベル３０が貼着されている。
【００３０】
このラベル３０は印３５とＲＯＭ４１の判別部４２とが一致するようにしてＲＯＭ４１の表面に貼着されているので、作業者がメイン基板２６を図示手前側から見たときにラベル３０に記載されているＲＯＭ４１を使用する製品名“ＣＲ○○○”とＲＯＭ４１に記憶されているプログラムの用途名“メイン制御用”を表す文字を確認することができるとともに、ＲＯＭ４１を使用する製品のシリーズを表す色（図示点描写部分）とＲＯＭ４１の種類を表す色（図示斜線部分）を確認することができる。そして、他方の基板ケース２７ｂに形成されている係止爪２９ｂが一方の基盤ケース２７ａに形成されている係止穴２９ａに係止されて基板ケース２７ａ、２７ｂ双方が合わされ、かしめ穴２９ｃに通されたリベット等がかしめられて基板ケース２７ａ、２７ｂが封印される。
【００３１】
以上のように、本実施形態のラベル３０によれば、基板４０に実装可能なＲＯＭ４１の仕様別に色分け表示されているので、作業者は文字情報の向きを気にせずにラベル３０を該当するＲＯＭ４１に貼着し、当該ＲＯＭ４１を基板４０上に実装しても、ラベル３０に記載された文字情報を読まずにラベル３０の色を識別するのみでＲＯＭ４１の実装確認作業を完了することができ、作業効率を大幅に向上させることができる。また、ＲＯＭ４１の表面に貼着するときの貼着方向を規定する印３５が、ＲＯＭ４１に予め形成されている実装方向を判別する判別部４２に合わせて形成されているので、ラベル３０の文字情報やラベル３０の色分け表示の方向を印３５に合わせて印刷することで、複数のＲＯＭ４１を基板４０上に実装した後の各ラベル３０の文字情報や色分け表示を同一方向に配列することができる。
【産業上の利用可能性】
【００３２】
本発明は、ラベルをＲＯＭの表面に貼着する場合のみならず、電子部品であればＣＰＵ等であっても同様に適用することができる。また、ラベルが貼着された電子部品を使用する遊技機であれば、弾球遊技機のみならず、遊技球以外の物、例えばコイン等を用いる遊技機にも適用可能である。
【図面の簡単な説明】
【００３３】
【図１】本発明の実施形態に係るラベルを示す平面図及び側面図である。
【図２】図１のラベルの別の形態を示す平面図である。
【図３】図１のラベルを貼着した電子部品が実装された基板を示す平面図である。
【図４】図１のラベルが貼着された電子部品を備えた遊技機の遊技機盤面の外観を示す正面図である。
【図５】図４の弾球遊技機の背面から見た内部構造を示す正面図である。
【図６】図５の主制御装置の分解斜視図である。
【符号の説明】
【００３４】
１  弾球遊技機、２  ガイドレール、１０  遊技機盤面、１１  図柄表示装置、１２  始動入賞口、１３  拡大装置、１４  アタッカーユニット、１５  大入賞口、１６  入賞口、１７  弾球ハンドル、１８  アウト口、１９  賞球払出口、２０  球受け皿、２３  主制御装置、２４  副制御装置、２５  払出し制御装置、２６  メイン基板、２７ａ、２７ｂ  基板ケース、３０  ラベル、３１  フィルム、３２  インク層、３３  接着層、３４  台紙、３５  印、４０  基板、４１  ＲＯＭ、４２  判別部
【図１】
2005087623.tif 000003
【図２】
2005087623.tif 000004
【図３】
2005087623.tif 000005
【図４】
2005087623.tif 000006
【図５】
2005087623.tif 000007
【図６】
2005087623.tif 000008